(57)【要約】      （修正有）【課題】  通常の使用において邪魔にならないよう、乾燥剤を交換可能に、さらに分別可能にキャップ体にセットし、便利かつ安価で分別処理の容易な乾燥剤入りの蓋付き容器を提供する。【解決手段】  容器本体と、容器本体の口筒部に装着される有頂筒状のキャップ体と、キャップ体の後端部に後端ヒンジを介して結合して開閉可能にキャップ体の頂壁を覆う蓋体を有し、頂壁の前半部分に内容物の取出し口を、また後半部分に乾燥剤を交換する開口を有する。後半部分下面に乾燥剤の収納部を配設し、蓋体を前後方向の略中央部を横断する中央ヒンジで前半部と後半部に２分し、前半部下面に取出し口をシールする前部シール筒片を、また後半部下面に交換孔をシールする後部シール筒片をそれぞれ垂下設し、内容物を取り出す際に中央ヒンジを基端部とし、蓋体の前半部だけ開放可能な構成とする。半部だけ開放可能な構成とする。【選択図】図３
2006206155.tif 000002
【特許請求の範囲】
【請求項１】
容器本体(1)と、該容器本体(1)の口筒部(2)に装着される有頂筒状のキャップ体(3)と、該キャップ体(3)の後端部に後端ヒンジ(12)を介して結合して開閉可能に前記頂壁(5)を覆う蓋体(11)を有し、頂壁(5)の前半部分に内容物の取出し口(6)を、また後半部分に乾燥剤(D)を交換するための交換孔(7)をそれぞれ開口し、そして前記後半部分下面に乾燥剤(D)を収納した収納部(21)を、前記交換孔(7)から乾燥剤(D)が取り替え可能に配設し、前記蓋体(11)を前後方向の略中央部を横断する中央ヒンジ(13)で前半部(14f)と後半部(14b)に２分し、前記前半部(14f)下面に取出し口(6)をシールする前部シール筒片(15f)を、また後半部(14b)下面に交換孔(7)をシールする後部シール筒片(15b)をそれぞれ垂下設し、内容物を取り出す際に中央ヒンジ(13)を基端部とし、蓋体(11)の前半部(14f)だけ開放可能な構成とした蓋付き容器。
【請求項２】
収納部(21)を通気孔(25)が形成され、上端にフランジ(23)を周設した小型カップ状容器(22)とし、交換孔(7)の開口周縁に下端に内鍔周片(9a)を付設した短筒片(9)を付設し、前記小型カップ状容器(22)の胴部を、上方から交換孔(7)に挿通可能に形成し、蓋体(11)の後半部(14b)を閉じた状態で、後部シール筒片(15b)が前記短筒片(9)に嵌入し、フランジ(23)を内鍔周片(9a)の上面と後部シール筒片(15b)の下端面で挟持した状態で、前記小型カップ状容器(22)をキャップ体(3)の後半部分下面に配設する構成とした請求項１記載の蓋付き容器。
【請求項３】
乾燥剤(D)を収納した状態で上端開口部と、底壁(24)に形成された通気孔(25)をシールフィルム(26)で密閉した取替え用の小型カップ状容器(22)で、収納部(21)ごと乾燥剤(D)を取替えを可能とした請求項２記載の蓋付き容器。
【請求項４】
交換孔(7)の開口周縁から通気孔(25)を形成した有底筒状の垂下筒片(10)を一体垂下設して収納部(21)とした請求項１記載の蓋付き容器。
【発明の詳細な説明】
【技術分野】
【０００１】
本発明は、乾燥剤入りの蓋付き容器に関する。
【背景技術】
【０００２】
たとえば特許文献１に、中蓋に乾燥剤を格納した錠剤保管容器に関する発明が記載されている。この例のように従来より目的に応じて乾燥剤を容器内あるいはキャップ内にセットした容器が使用されている。
【特許文献１】特開２００１−９７４３８号公報
【発明の開示】
【発明が解決しようとする課題】
【０００３】
これら従来の容器にあっては多くの場合、内容物を消費した後では、乾燥剤の効力も低下してしまっているので、容器ごと廃棄されてしまう。しかしながら近年においては、低価格あるいは省資源の観点から内容物の消費後も内容物を補充して、容器を無駄にせず長期にわたって使用できる製品のニーズが高く、乾燥剤をセットした容器についても同様な要請がある。また環境問題の観点から容器と乾燥剤を容易に分別廃棄できる製品の要請もある。
【０００４】
本発明は乾燥剤入り容器に係る上記のような要請に対応するものであり、通常の使用において邪魔にならないよう、乾燥剤を交換可能に、さらには容易に分別可能にキャップ体にセットすることを課題とし、便利に使用でき、安価でそして分別処理の容易な乾燥剤入りの蓋付き容器を提供することを目的とする。
【課題を解決するための手段】
【０００５】
上記技術的課題を解決する方法のうち、請求項１記載の発明の手段は、
容器本体と、容器本体の口筒部に装着される有頂筒状のキャップ体と、キャップ体の後端部に後端ヒンジを介して結合して開閉可能にキャップ体の頂壁を覆う蓋体を有すること、
頂壁の前半部分に内容物の取出し口を、また後半部分に乾燥剤を交換するための交換孔をそれぞれ開口し、そして後半部分下面に乾燥剤を収納した収納部を、交換孔から乾燥剤が取り替え可能に配設し、
蓋体を前後方向の略中央部を横断する中央ヒンジで前半部と後半部に２分し、前半部下面に取出し口をシールする前部シール筒片を、また後半部下面に交換孔をシールする後部シール筒片をそれぞれ垂下設し、
内容物を取り出す際に中央ヒンジを基端部とし、蓋体の前半部だけ開放可能な構成としたこと、
にある。
【０００６】
請求項１記載の上記構成により、保管時においては、蓋体を閉じることによって、キャップ体の頂壁に形成された取出し口および交換孔が蓋体の前部シール筒片および後部シール筒片によりそれぞれシールされた状態することができる。この際、頂壁の後半部分下面に配設された収納部の中に収納された乾燥剤により、収納部に適宜に通気孔を形成しておくことにより、この通気孔を通して容器内の水分が吸収される。
【０００７】
使用時、すなわち内容物を取り出す時には中央ヒンジを基端部として蓋体の前半部だけを開放し、取出し口から内容物を取り出すことができるが、この際蓋体の後半部は閉じた状態のままとすることができ、後部シール筒片によりシールされた状態が保持され、交換孔から外気が進入して乾燥剤の機能をむやみに低下させることなく、また乾燥剤が外部にこぼれ出すことを気にすることなく便利に使用することができる。
【０００８】
そして、内容物を消費した時、あるいは乾燥剤の性能が低下して乾燥剤を交換する際には、後端ヒンジを基端部として後半部も含めて蓋体全体を開放し、交換孔を介して乾燥剤を交換することができる。また容器を廃棄する際には乾燥剤を容易に分別して処理できる。なお、乾燥剤の交換は目的に応じて乾燥剤だけを交換しても良いし、収納部ごと乾燥剤を交換することができるようにすることもできる。
【０００９】
請求項２記載の発明の手段は、請求項１記載の発明において、
収納部を通気孔が形成され、上端にフランジを周設した小型カップ状容器とすること、
交換孔の開口周縁に下端に内鍔周片を付設した短筒片を付設すること、
小型カップ状容器の胴部を、上方から交換孔に挿通可能に形成すること、
蓋体の後半部を閉じた状態で、後部シール筒片が短筒片に嵌入し、フランジを内鍔周片の上面と後部シール筒片の下端面で挟持した状態で、小型カップ状容器をキャップ体の後半部分下面に配設する構成とすること、
にある。
【００１０】
請求項２記載の上記構成は、収納部のおよび収納部の配設方法の具体例で、収納部をキャップ体と別体とした構成であり、蓋体の後半部を閉じた状態で小型カップ状容器はフランジ部分で、キャップ体に組付き固定される。また、蓋体の全体を開放して、収納部である小型カップ状容器を取り出して容易に乾燥剤を交換することができる。
【００１１】
請求項３記載の発明の手段は、請求項２記載の発明において、乾燥剤を収納した状態で上端開口部と、底壁に形成された通気孔をシールフィルムで密閉した取替え用の小型カップ状容器で、収納部ごと乾燥剤を取替え可能とすること、にある。
【００１２】
請求項３記載の上記構成は、収納部ごと乾燥剤を交換するための具体例であり、交換用として新しい乾燥剤を収納しシールフィルムで密閉した小型カップ状容器を用意しておけば、交換時には底壁を密閉するシールフィルムを剥がして通気孔を開放した状態で交換孔からキャップ体にセットでき、外部に乾燥剤をこぼすこともなく容易に乾燥剤を交換することができる。
【００１３】
請求項４記載の発明の手段は、請求項１記載の発明において、交換孔の開口周縁から、通気孔を形成した有底筒状の垂下筒片を一体垂下設して収納部とすることにある。
【００１４】
請求項４記載の上記構成は、収納部をキャップ体の頂壁に一体設する具体例であり、部材の構成を簡略化でき、製造コストを低減できる。
【発明の効果】
【００１５】
本発明は上記した構成であり、以下に示す効果を奏する。
請求項１記載の発明にあっては、内容物を取り出す際に蓋体の後半部は閉じた状態のままとすることができ、乾燥剤の機能をむやみに低下させることなく、また乾燥剤が外部にこぼれ出すことを気にすることなく便利に使用することができる。また、蓋体全体を開放し、交換孔を介して乾燥剤を容易に交換することができ、容器を廃棄する際には乾燥剤を容易に分別して処理できる。
【００１６】
請求項２記載の発明にあっては、収納部を別体とした構成であり、蓋体の後半部を閉じた状態で小型カップ状容器はフランジ部分で、キャップ体に組付き固定される。また、蓋体の全体を開放して、この小型カップ状容器を取り出して容易に乾燥剤を交換することができる。
【００１７】
請求項３記載の発明にあっては、収納部ごと乾燥剤を交換するための具体例であり、交換用の小型カップ状容器を用意しておけば、交換時には底壁を密閉するシールフィルムを剥がして通気孔を開放した状態で交換孔からキャップ体の頂壁にセットして、外部に乾燥剤をこぼすこともなく容易に交換することができる。
【００１８】
請求項４記載の発明にあっては、収納部をキャップ体の頂壁に一体設する具体例であり、部材の構成を簡略化でき、製造コストを低減できる。
【発明を実施するための最良の形態】
【００１９】
以下本発明の実施の形態を図面を参照しながら説明する。図１〜図５は本発明の蓋付き容器の第１実施例を示すものであり、図１は側面図、図２は平面図であり、蓋体１１が前後方向の略中央部で中央ヒンジ１３により、前半部１４ｆと後半部１４ｂに２分されている。また図３および図４はいずれも容器の縦断面図であり、図３は蓋体１１の前半部１４ｆだけを開放した状態、また図４は蓋体１１全体を開放した状態を示す。なお図３には前半部１４ｆを閉じた状態を２点鎖線で示している。
【００２０】
本実施例の容器は上端部に口筒部２を有する有底円筒状の容器本体１と、容器本体１の口筒部２に螺合組付きするキャップ体３と、このキャップ体３の後端部に後端ヒンジ１２を介して開閉可能に一体連設され、キャップ体３の頂壁５を覆う蓋体１１と、乾燥剤Dを収納した収納部２１である小型カップ状容器２２から構成されている。ここでキャップ体３と蓋体１１は合成樹脂製であり射出成形で一体成形する。
【００２１】
キャップ体３は有頂円筒状であり、口筒部２に螺合組付きする組付き筒部４を有し、頂壁５からこの組付き筒部４の内側に口筒部２に密嵌入する嵌入筒片８が垂下設されている。また頂壁５の前半部分に内容物を取り出すための円形の取出し口６を、後半部分に乾燥剤Ｄを交換するための円形の交換孔７をそれぞれ開口している（図２、３参照）。そして交換孔７の開口周縁に下端に内鍔周片９ａを付設した短筒片９を付設している。
【００２２】
蓋体１１は前述したように前後方向の略中央において横断する中央ヒンジ１３で前後方向に前半部１４ｆと後半部１４ｂに２分されている。また前半部１４ｆの下面には取出し口６をシールする前部シール筒片１５ｆを、また後半部１４ｂ下面には交換孔７をシールするための後部シール筒片１５ｂがそれぞれ垂下設されている。また前端に摘み片１６を付設している。
【００２３】
本実施例は、収納部２１を別部材の小型カップ状容器２２としたものであり、収納部２１ごと乾燥剤Ｄを交換するタイプの例である。図５は交換用として用意される小型カップ状容器２２の半縦断面図である。この小型カップ状容器２２は上端にフランジ２３を周設し底壁２４に多数の通気孔２５を形成したものであり、内部に乾燥剤Dを収納した状態で上端開口部と底壁２４をシールフィルム２６で密閉している。
【００２４】
交換時には、蓋体１１を全体を開放した状態で（図４の状態）、底壁２４を覆うシールフィルム２６を剥がし、小型カップ状容器２２を交換孔７から差し込んで、フランジ２３を内鍔周片９ａに当接した状態で、キャップ体３の下面に配設する。
【００２５】
そして上記のように小型カップ２２を配設した状態で蓋体１１を閉じると、前部シール筒片１５ｆが密嵌入して取出し口６がシールされると共に、後部シール筒片１５ｂが、短筒片９に密嵌入し交換孔７がシールされる。また、この状態では小型カップ状容器２２のフランジ２３が内鍔周片９ａと後部シール筒片１５ｂ下端面の間に挟持されるので、頂壁５にしっかりと固定され、使用中にがたがたすることもない。
【００２６】
使用時、すなわち内容物を取り出す時には中央ヒンジ１３を基端部として蓋体１１の前半部１４ｆだけを開放し、取出し口６から内容物を取り出すことができるが、この際蓋体１１の後半部１４ｂは閉じた状態のままとすることができ、後部シール筒片１５ｂによりシールされた状態が保持され、外気が交換孔７から進入して乾燥剤Ｄの機能をむやみに低下させることなく、便利に使用することができる。
【００２７】
ここで、本実施例の収納部２１は収納部２１ごと乾燥剤Ｄを交換するものであるが、たとえば、同様な小型カップ状容器２２を使用して乾燥剤Ｄだけを交換することもでき、たとえ上端開口部をシールするシールフィルム２６がなくても、後部シール筒片１５ｂにより乾燥剤Ｄが外部にこぼれ出すことを気にすることなく使用することができる。
【００２８】
なお、使用時に蓋体１１の前半部１４ｆを開放する際に、後半部１５ｂが一緒に開放しないように、後部シール筒片１５ｂの脱嵌入強度を十分大きくしたり、適宜にアンダーカット部を付設したりすることが好ましい。
【００２９】
図６は上記第１実施例で示した容器の他の使用態様の他の例を示すものであり、図５に示されるカップ状容器２２を、底壁２４を覆うシールフィルム２６を剥がすことなく、キャップ体３の下面に配設したものである。このような状態で製品として販売し、使用者が使用を開始する段階で初めて、底壁２４を覆うシールフィルム２６を剥がすようにすれば、使用するまでの期間における乾燥剤Ｄの性能の低下を防ぐことができ、乾燥剤の性能を十分に生かして使用することができる。
【００３０】
ここで、図６の容器に内容物を充填して製品とすることもできるし、図６に示す容器と、容器とは別に袋に密閉して用意された内容物を用意して、使用する際に内容物を充填すると共に、上記のようにカップ状容器の底壁２４を覆うシールフィルム２６を剥がして使用することもできる。勿論、他の実施例においても同様であるが、内容物を再充填（レフィル）して使用することもできる。
【００３１】
図７は、本発明の容器の第２実施例において蓋体１１全体を開放した状態の縦断側面図である。（第１実施例の図４に相当する。）本実施例は交換孔７の開口周縁から通気孔２５を形成した有底筒状の垂下筒片１０を一体垂下設し収納部２１としたものであり、この収納部２１以外の部分は第１実施例と同じ構成である。
【００３２】
収納部２１である垂下筒片１０をキャップ体３の頂壁５に一体設することにより、部材の構成を簡略化でき、製造コストを低減でき、また蓋体１１全体を開放して（図７の状態）容易に乾燥剤Ｄを交換することができる。
【産業上の利用可能性】
【００３３】
以上説明したように本発明の蓋付き容器は、乾燥剤の存在を気にすることなく便利に使用でき、乾燥剤の交換、分別が容易にできるものであり、乾燥剤入り容器としてより幅広い用途展開が期待できる。
【図面の簡単な説明】
【００３４】
【図１】本発明の容器の第１実施例の側面図である。
【図２】図１の容器の平面図である。
【図３】図１の容器において蓋体前半部を開放した状態の縦断側面図である。
【図４】図１の容器において蓋体全体を開放した状態の縦断側面図である。
【図５】図１の容器に使用する交換用小型カップ状容器の半縦断面図である。
【図６】図１の容器の使用態様の他の例を示す縦断側面図である。
【図７】本発明の容器の第２実施例において蓋体全体を開放した状態の縦断側面図である。
【符号の説明】
【００３５】
１  ；容器本体
２  ；口筒部
３  ；キャップ体
４  ；組付き筒部
５  ；頂壁
６  ；取出し口
７  ；交換孔
８  ；嵌入筒片
９  ；短筒片
９ａ；内鍔周片
１０；垂下筒片
１１；蓋体
１２；後端ヒンジ
１３；中央ヒンジ
１４ｆ；前半部
１４ｂ；後半部
１５ｆ；前部シール筒片
１５ｂ；後部シール筒片
１６；摘み片
２１；収納部
２２；小型カップ状容器
２３；フランジ
２４；底壁
２５；通気孔
２６；シールフィルム
Ｃ  ；内容物
Ｄ  ；乾燥剤
【図１】
2006206155.tif 000003
【図２】
2006206155.tif 000004
【図３】
2006206155.tif 000005
【図４】
2006206155.tif 000006
【図５】
2006206155.tif 000007
【図６】
2006206155.tif 000008
【図７】
2006206155.tif 000009